【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
レーザ光を発生するレーザ光発生部と、
前記レーザ光発生部から出射されたレーザ光を、走査可能な領域である加工領域にて二次元で走査するレーザ光走査部と、
前記レーザ光走査部の加工領域に対応付けられた設定面を表示する表示部と、
前記表示部で表示された設定面上に、加工対象物の加工対象面上でレーザ光により加工される加工パターンを設定する加工パターン設定部と、
前記加工パターン設定部で設定された加工パターンに基づいて、前記加工対象面にてレーザ光が辿る第一軌跡を規定する加工線分データと、前記レーザ光発生部から出射されるレーザ光の出射タイミングを規定する出射タイミングデータとを含む展開データを生成する展開データ生成部と、
レーザ光が外部に出射されない状態で、前記展開データ生成部により生成された展開データに含まれる加工線分データに基づいて前記レーザ光走査部を制御するレーザ光制御部と、
前記レーザ光制御部により制御された前記レーザ光走査部の走査角度を検出する走査角度検出部と、
前記走査角度検出部で検出された前記レーザ光走査部の走査角度と、レーザ光の出射タイミングとに基づいて、実際のレーザ加工時にレーザ光が辿ると想定される第二軌跡を示す軌跡データを生成する軌跡データ生成部と、
前記軌跡データ生成部により生成された軌跡データに基づいて、前記第二軌跡における複数の加工パターンの基準位置を算出する基準位置算出部と、
前記基準位置算出部で算出された複数の加工パターンの基準位置が一定方向に揃うように前記加工線分データを補正する加工線分データ補正部と
を備えるレーザ加工装置。
【請求項２】
請求項１に記載のレーザ加工装置であって、
前記加工線分データ補正部は、前記複数の加工パターンの基準位置として、各加工パターンの重心位置が一定方向に揃うよう、加工線分データを補正してなるレーザ加工装置。
【請求項３】
請求項２に記載のレーザ加工装置であって、
前記加工線分データ補正部は、前記複数の加工パターンの基準位置として、各加工パターンの重心位置が、各加工パターンが並ぶ方向に平行な直線上に揃うよう、加工線分データを補正してなるレーザ加工装置。
【請求項４】
請求項１〜３のいずれか一項に記載のレーザ加工装置であって、
前記加工線分データ補正部は、前記複数の加工パターンの基準位置として、特定の加工パターンの中央を通る直線上に揃うよう、加工線分データを補正してなるレーザ加工装置。
【請求項５】
請求項１〜３のいずれか一項に記載のレーザ加工装置であって、
前記加工線分データ補正部は、前記複数の加工パターンの基準位置として、特定の加工パターンの端縁を通る直線上に揃うよう、加工線分データを補正してなるレーザ加工装置。
【請求項６】
請求項５に記載のレーザ加工装置であって、
前記加工線分データ補正部は、前記複数の加工パターンの基準位置として、水平方向に並べられた特定の加工パターンの上端又は下端を通る直線上に揃うよう、加工線分データを補正してなるレーザ加工装置。
【請求項７】
請求項５に記載のレーザ加工装置であって、
前記加工線分データ補正部は、前記複数の加工パターンの基準位置として、垂直方向に並べられた特定の加工パターンの上端又は下端を通る直線上に揃うよう、加工線分データを補正してなるレーザ加工装置。
【請求項８】
請求項１〜７のいずれか一項に記載のレーザ加工装置であって、
前記加工線分データ補正部で補正された加工線分データに基づいて、前記表示部に第二軌跡の表示制御を行うレーザ加工装置。
【請求項９】
請求項８に記載のレーザ加工装置であって、さらに、
前記表示部に第二軌跡が表示された状態で、各加工パターンの基準位置が一方向に揃っていない場合に、加工線分データの追加補正を指示する補正指示部を備え、
前記加工線分データ補正部は、前記補正指示部の指示に従って、加工線分データを追加補正するよう構成してなるレーザ加工装置。
【請求項１０】
請求項１〜９のいずれか一項に記載のレーザ加工装置であって、さらに、
前記加工パターン設定部は、複数の加工パターンを含む加工ブロックを設定し、設定面上で加工ブロックを選択する加工ブロック選択部を備え、
前記加工線分データ補正部は、前記加工ブロック選択部で選択された加工ブロックに含まれる加工パターンについて、加工線分データを補正してなるレーザ加工装置。
【請求項１１】
請求項１〜１０のいずれか一項に記載のレーザ加工装置であって、さらに、
前記軌跡データ生成部で生成された軌跡データに基づいて、前記表示部に第二軌跡の表示制御を行う軌跡表示制御部を備えるレーザ加工装置。
【請求項１２】
請求項１〜１１のいずれか一項に記載のレーザ加工装置であって、
前記加工線分データ補正部が、補正した加工線分データの候補群を選択可能に表示させてなるレーザ加工装置。
【請求項１３】
請求項１〜１２のいずれか一項に記載のレーザ加工装置であって、
前記加工線分データ補正部が、前記基準位置算出部で算出された基準位置が一定方向に揃うように、前記加工線分データを自動的に補正するよう構成してなるレーザ加工装置。
【請求項１４】
作業領域内に配置された加工対象物の加工対象面に対して、レーザ光発生部より発生されるレーザ光を、走査可能な領域である加工領域にて二次元で走査するレーザ光走査部と、前記レーザ光発生部のＯＮ／ＯＦＦを制御するレーザ光制御部と、前記レーザ光制御部により制御された前記レーザ光走査部の走査角度を検出する走査角度検出部とを備え、前記レーザ光走査部でレーザ光を照射して、所望の加工パターンに加工可能なレーザ加工装置について、所望の加工パターンに基づいて加工データを設定するためのレーザ加工データ設定装置であって、
前記レーザ光走査部の加工領域に対応付けられた設定面を表示する表示部と、
前記表示部で表示された設定面上に、加工対象物の加工対象面上でレーザ光により加工される加工パターンを設定する加工パターン設定部と、
前記加工パターン設定部で設定された加工パターンに基づいて、前記加工対象面にてレーザ光が辿る第一軌跡を規定する加工線分データと、前記レーザ光発生部から出射されるレーザ光の出射タイミングを規定する出射タイミングデータとを含む展開データを生成する展開データ生成部と、
レーザ光が外部に出射されない状態で、前記展開データ生成部により生成された展開データに含まれる加工線分データに基づいて、前記レーザ光制御部により制御されたレーザ光走査部の、前記走査角度検出部で検出された前記レーザ光走査部の走査角度と、レーザ光の出射タイミングとに基づいて、実際のレーザ加工時にレーザ光が辿ると想定される第二軌跡を示す軌跡データを生成する軌跡データ生成部と、
前記軌跡データ生成部により生成された軌跡データに基づいて、前記第二軌跡における複数の加工パターンの基準位置を算出する基準位置算出部と、
前記基準位置算出部で算出された複数の加工パターンの基準位置が一定方向に揃うように前記加工線分データを補正する加工線分データ補正部と
を備えるレーザ加工データ設定装置。
【請求項１５】
レーザ光を発生するレーザ光発生部と、前記レーザ光発生部から出射されたレーザ光を、走査可能な領域である加工領域にて二次元で走査するレーザ光走査部と、前記レーザ光発生部のＯＮ／ＯＦＦを制御するレーザ光制御部と、前記レーザ光制御部により制御された前記レーザ光走査部の加工領域に対応付けられた設定面を表示する表示部と、前記レーザ光走査部の走査角度を検出する走査角度検出部とを備えるレーザ加工装置の設定方法であって、
前記表示部で表示された設定面上に、加工対象物の加工対象面上でレーザ光により加工される加工パターンを設定する工程と、
前記設定された加工パターンに基づいて、前記加工対象面にてレーザ光が辿る第一軌跡を規定する加工線分データと、前記レーザ光発生部から出射されるレーザ光の出射タイミングを規定する出射タイミングデータとを含む展開データを生成する工程と、
レーザ光を外部に出射させない状態で、前記生成された展開データに含まれる加工線分データに基づいて前記レーザ光走査部を制御し、前記走査角度検出部で前記レーザ光走査部の走査角度を検出し、該検出された走査角度と、レーザ光の出射タイミングとに基づいて、実際のレーザ加工時にレーザ光が辿ると想定される第二軌跡を示す軌跡データを生成する工程と、
前記生成された軌跡データに基づいて、前記第二軌跡における複数の加工パターンの基準位置を算出する工程と、
前記算出された複数の加工パターンの基準位置が一定方向に揃うように前記加工線分データを補正する工程と
を含むレーザ加工装置の設定方法。
【請求項１６】
レーザ光を発生するレーザ光発生部と、前記レーザ光発生部から出射されたレーザ光を、走査可能な領域である加工領域にて二次元で走査するレーザ光走査部と、前記レーザ光発生部のＯＮ／ＯＦＦを制御するレーザ光制御部と、前記レーザ光制御部により制御された前記レーザ光走査部の加工領域に対応付けられた設定面を表示する表示部と、前記レーザ光走査部の走査角度を検出する走査角度検出部とを備えるレーザ加工条件設定プログラムであって、
前記表示部で表示された設定面上に、加工対象物の加工対象面上でレーザ光により加工される加工パターンを設定する機能と、
前記設定された加工パターンに基づいて、前記加工対象面にてレーザ光が辿る第一軌跡を規定する加工線分データと、前記レーザ光発生部から出射されるレーザ光の出射タイミングを規定する出射タイミングデータとを含む展開データを生成する機能と、
レーザ光を外部に出射させない状態で、前記生成された展開データに含まれる加工線分データに基づいて前記レーザ光走査部を制御し、前記走査角度検出部で前記レーザ光走査部の走査角度を検出し、該検出された走査角度と、レーザ光の出射タイミングとに基づいて、実際のレーザ加工時にレーザ光が辿ると想定される第二軌跡を示す軌跡データを生成する機能と、
前記生成された軌跡データに基づいて、前記第二軌跡における複数の加工パターンの基準位置を算出する機能と、
前記算出された複数の加工パターンの基準位置が一定方向に揃うように前記加工線分データを補正する機能とをコンピュータに実現させるレーザ加工条件設定プログラム。
【請求項１７】
請求項１６に記載のプログラムを記録したコンピュータで読み取り可能な記録媒体又は記録した機器。